(57)【要約】      （修正有）【課題】長期間の保温による電気消費量の増大を避けるとともに、水の加熱と出湯を速くし、しかも高い安全性を有する、電気式ウォーターポットを提供する。【解決手段】このウォーターポットは、本体カバー１と、水位電源スイッチ８を有する貯水タンク２と、加熱装置３１を有する加熱機箱３と、湯漏斗盤４と、重量スイッチ・システムを有する容器置き台９とを備え、貯水タンク２内に水が収容された状態から、容器置き台９に容器を置くことにより、加熱装置３が通電されて、貯水タンク２の水を加熱装置３を通して加熱し、湯漏斗盤４より出湯し、容器置き台９上の容器に必要な所定の量の湯が入ると、加熱装置３の通電が停止されて、水の加熱、出湯を停止する。【選択図】図１
0003151834.tif 000002
【実用新案登録請求の範囲】
【請求項１】
本体カバー（１）と、
前記本体カバー（１）内の背面側に設けられ、水を貯めるための貯水タンク（２）と、
前記本体カバー（１）の底部に設けられ、水を加熱するための電気式の加熱装置（３１）を有する加熱機箱（３）と、
前記本体カバー（１）の正面側上部に設けられ、湯を出すための湯漏斗盤（４）と、
前記本体カバー（１）の正面側下部に設けられ、容器を置くための容器置き台（９）と、
前記貯水タンク（２）内に設置され、前記貯水タンク（２）内の水位により電源をＯＮ、ＯＦＦして前記加熱装置（３１）をＯＮ、ＯＦＦ制御する水位電源スイッチ（８）と、
前記容器置き台（９）の底部に設置され、前記容器置き台（９）に受ける重量により電源をＯＮ、ＯＦＦして前記加熱装置（３１）をＯＮ、ＯＦＦ制御する重量スイッチ・システム（９１）と、
を備え、
前記加熱装置（３１）は、耐高温性を有する中空の金属パイプ（３２）と、前記金属パイプ（３２）内に配置され、外周面に螺旋状に廻る導流板（３５）を有する高温電熱管（３４）とにより構成され、前記金属パイプ（３２）の一端が前記貯水タンク（２）に連結され、他端が湯漏斗盤（４）に連結されて、
前記貯水タンク（２）内に水が収容された状態から、前記容器置き台（９）に容器を置くことにより、前記加熱装置（３）が通電されて、前記貯水タンク（２）の水を前記加熱装置（３）を通して加熱し、前記湯漏斗盤（４）より出湯し、
前記容器置き台（９）上の容器に必要な所定の量の湯が入ると、前記加熱装置（３１）の通電が停止されて、水の加熱、出湯を停止する、
ことを特徴とする電気式ウォーターポット。
【請求項２】
金属パイプ（３２）の外側は断熱材からなる保温装置（５）により包囲される請求項１に記載の電気式ウォーターポット。
【請求項３】
容器置き台（９）は本体カバー（１）の正面側下部に上下動可能に設置され、重量スイッチ・システム（９１）は、加熱装置（３１）を通電し、水を加熱、出湯する第２電源スイッチ（９１１）と、加熱装置（３１）の通電を停止して、水の加熱、出湯を停止する第３電源スイッチ（９１２）と、前記容器置き台（９）の下部に設けられる固定横アーム（９２）と、前記本体カバー（１）の正面側下部に設けられ、前記容器置き台（９）と前記固定横アーム（９２）との間に水平方向に向けて延びる固定部と、前記固定部と前記固定横アーム（９２）との間に介装され、前記容器置き台（９）を所定の位置に弾性的に支持する少なくとも一個の伸縮スプリング（９３）と、前記固定横アーム（９２）の上側に設けられる第１圧板（９４）及び前記固定横アーム（９２）の下側に設けられる第２圧板（９５）と、前記固定横アーム（９２）の第１、第２圧板（９４）、（９５）間に配設され、前記第２電源スイッチ（９１１）に係合可能に延びる制御アーム（９６）とを有し、前記容器置き台（９）に空の容器が置かれてその重量により前記容器置き台（９）が所定の位置まで下降することにより、前記第１圧板（９４）が前記制御アーム（９６）を介して前記第２電源スイッチ（９１１）に接触し、前記加熱装置（３）を通電し、水を加熱、出湯して、前記容器置き台（９）上の容器に所定量の湯を入れ、当該湯の重量により前記容器置き台（９）がさらに下降して所定の位置まで下降することにより、前記第２圧板（９５）が前記第３電源スイッチ（９１２）に接触し、前記加熱装置（３）の通電を停止して、水の加熱、出湯を停止する請求項１に記載の電気式ウォーターポット。
【請求項４】
重量スイッチ・システム（９１）は圧力を感知する圧力センサー及び、前記圧力センサーで感知された圧力に基づいて重量を判断するＩＣからなる制御装置で構成される請求項１に記載の電気式ウォーターポット。
【請求項５】
金属パイプ（３２）の一端に湯入口（３２１）を有し、この湯入口（３２１）と貯水タンク（２）が逆流防止の逆止弁（７）を介して連結され、金属パイプ（３２）の他端に湯出口（３２２）を有し、この湯出口（３２２）と湯漏斗盤（４）が下から上に向けて逆Ｌ字形の湯パイプ（６）を介して連結される請求項１に記載の電気式ウォーターポット。
【請求項６】
前記貯水タンク（２）内の一部が仕切り板（８３）によって隔てられ、かつ前記仕切り板（８３）の貯水タンク（２）の底部側に流水ホール（８４）が設けられて、前記仕切り板（８３）内に前記貯水タンク（２）の水が通され、水位電源スイッチ（８）は、前記仕切り板（８３）内に配置され、貯水タンク（２）内の水位の変化とともに上下動可能な浮きボール装置（８１）と、前記浮きボール装置（８１）の動作により加熱装置（３１）の通電をＯＮ、ＯＦＦ制御する第１電源スイッチ（８２）とを有する請求項１に記載の電気式ウォーターポット。
【請求項７】
浮きボール装置（８１）は、仕切り板（８３）内に配置される、所定の重さを持つ浮きボール（８１１）と、前記仕切り板（８３）の上方に設けられ、第１電源スイッチ（８２）に対して電源をＯＮする位置から電源をＯＦＦする位置へ傾動可能な横アーム（８１２）と、前記浮きボール（８１１）と前記横アーム（８１２）とを繋ぐ吊り紐（８１３）とにより構成される請求項６に記載の電気式ウォーターポット。
【請求項８】
水位電源スイッチ（８）は水位を視認可能なスイッチからなり、当該水位の視認検出結果により、加熱装置（３１）の電源をオン、オフ制御する請求項１に記載の電気式ウォーターポット。
【請求項９】
本体カバー（１）の上部に蓋を有し、前記蓋は、本体カバー（１）上部の正面側を封閉するためのフロント蓋（１１）と、前記フロント蓋（１１）の後部に形成され、本体カバー（１）上部の背面側の貯水タンク（２）を封閉するためのリヤ蓋（１２）により構成され、フロント蓋（１１）底部のほぞ（１１１）又は穴と本体カバー（１）上部の穴又はほぞとの係合により固定される請求項１に記載の電気式ウォーターポット。
【考案の詳細な説明】
【技術分野】
【０００１】
本考案は電気式ウォーターポットに関し、特に、水を高効率的な加熱形式により瞬間的に加熱する電気式ウォーターポットに関する。
【背景技術】
【０００２】
従来、電気ポットはタンク内で水を沸かし、タンク内に沸いた湯を貯めるなどの基本的な機能を有している。しかしながら、この種の電気ポットは、便利性については特に問題が無いが、いつでも温かい湯が出るように、加熱装置及び保温装置が常に通電されて動作中になっているため、電気消費量が高く、近時のエコの要請に適していない。このため、近年においては、従来の電気ポットに改良が加えられ、省能型の電気ポットが提案され、この電気ポットが特許文献１により開示されている。この電気ポットは、高効率の加熱器で湯を沸かし、低効率の加熱器で保温する形式で、長期の保温でも電力の消費量が抑えられる。
【先行技術文献】
【特許文献】
【０００３】
【特許文献１】台湾特許公告第２９１５０６番「省能型電気ポット」
【考案の概要】
【考案が解決しようとする課題】
【０００４】
しかしながら、上記従来の電気ポット（省能型電気ポット）では、高効率の加熱器で湯を沸かすため、水の加熱時間は少ないものの、低効率の加熱器で保温するために、通常の電気消費量は予想に反して減らすことができない、という問題がある。したがって、低効率の加熱器の使用を止め、全体的に電気の消費量を減らすこと、そして、水の加熱時間をさらに短縮することが、本考案の解決すべき課題である。
【０００５】
本考案は、このような従来の課題を解決するものであり、長期間の保温による電気消費量の増大を避けるとともに、水の加熱と出湯を速くし、しかも高い安全性を有する、電気式ウォーターポットを提供すること、を目的とする。
【課題を解決するための手段】
【０００６】
本考案は長期間保温の電気消費量を避け、加熱と出湯が速く、また、高安全性の改良式電気ウォーターポットであり、技術手段としては以下の（ａ）、（ｂ）に示す。
（ａ）本体カバー（１）の裏側に一つの貯水タンク（２）を設けられ、本体カバー（１）の底部に加熱機箱（３）を設けられ、本体カバー（１）のフロント上端部にお湯漏斗盤（４）を設けられ、貯水タンク（２）内部に一つの水位電源スイッチ（８）を設けられ、本体カバー（１）のフロント底部に容器置き台（９）を設けられ、及び容器置き台（９）の底部に給水制御の重量スイッチ・システム（９１）を設けられ、加熱機箱（３）内に中空状態の加熱装置（３１）を有する。
（ｂ）上記の加熱装置（３１）の片方は貯水タンク（２）に接続され、もう一方はお湯漏斗盤（４）及び耐高温の金属パイプ（３２）に連結され、金属パイプ（３２）を密閉させるために金属パイプ蓋（３３）を取り付けられ、片軸は金属パイプ（３２）内に設けられ、また、逆方向は出っ張ったに金属パイプ蓋（３３）側の高温電熱管（３４）に固定され、高温電熱管（３４）の外側にめぐるの導流板（３５）等で作成。
【０００７】
また、本考案は各部に次のような構成を備える。
（ｃ）断熱材で作られた保温装置（５）は金属パイプ（３）の外側を巻きつける。
（ｄ）上記の重量スイッチ・システム（９１）は加熱機箱（３）の加熱の開始、出湯を制御する第二電源スイッチ（９１１）；加熱機箱（３）の加熱及び出湯の停止を制御する第三電源スイッチ（９１２）；容器置き台（９）の底部に設置の横固定アーム（９２）；容器置き台（９）に戻らせるための伸縮スプリング（９３）を固定横アーム（９２）に一個以上連結され；第二電源スイッチ（９１１）の働きを制御するの第一圧板（９４）及び第三電源スイッチ（９１２）の働きを制御するの第二圧板（９５）を横固定アーム（９２）の両側に設けられ、また、第一圧板（９４）に制御されて第二電源スイッチ（９１１）の働きを制御して弾んで戻るの制御アーム（９６）等で構成。
（ｅ）上記の重量スイッチ・システム（９１）は圧力を感じられるの圧力センサー及び、判断ＩＣの制御装置で構成。
（ｆ）上記の金属パイプ（３２）と貯水タンク（２）の連結部は湯入口（３２１）、また、お湯漏斗盤（４）との連結部は湯出口（３２２）、且つ、湯入口（３２１）と貯水タンク（２）の連結部に逆流防止の逆止弁（７）を金属パイプ（３２）内に設けられ、湯出口（３２２）とお湯漏斗盤（４）の連結部はお湯パイプ（６）等部品で構成。
（ｇ）また、水位電源スイッチ（８）は浮きボール装置（８１）と、浮きボール装置（８１）が制御させ、加熱装置（３１）の通電を制御するの第一電源スイッチ（３２）；浮きボール装置（８１）と貯水タンク（２）を隔てるの仕切り板（３）；及び、貯水タンク（２）内の水を仕切り板（８３）の底部の穴に流れるように設けられた流水ホール（８４）等で構成。
（ｈ）上記の浮きボール装置（８１）は仕切り板（８３）内に配重式の浮きボール（８１１）を有し、本体カバー（１）の上端部に第一電源スイッチ（３２）の制御ができるの横アーム（８１２）を設けられ、及び、浮きボール（８１１）と横アーム（８１２）に繋ぐの吊り紐（８１３）等で構成。
（ｉ）上記の水位電源スイッチ（８）は液面高度の視認のできるスイッチであり、視認の結果より、加熱装置（３１）の電源にオン又はオフを制御させる。
（ｊ）本体カバー（１）の上端部を封閉させるためにフロント蓋（１１）を設けられ、及び、フロント蓋（１１）の後に貯水タンク（２）を封閉させるためのリヤ蓋（１２）、且つ、フロント蓋（１１）の底部に本体カバー（１）と組立のほぞ（１１１）等で構成。
【考案の効果】
【０００８】
本考案は、上記の構成により、次のような効果を奏する。
（イ）加熱機箱（３）内の加熱装置（３１）の高温加熱管（３４）及び、螺旋状に高温加熱管（３４）の外側を巻きつけるの導流板（３５）等で加熱機箱（３）に流れる水を高温加熱管（３４）に通して、快速で加熱させ、加熱が速いほど電気消費量が少なくなり、且つ、保温装置（５）と合わせるため、本考案の電熱損失はとても少ない。
（ロ）また、本考案は水位電源スイッチ（８）及び重量スイッチ・システム（９１）を設けられ、普段に加熱装置（３１）は断電のままで、使用者が容器を容器置き台（９）に放置すれば、重量スイッチ・システム（９１）は動き始め、加熱装置（３１）に通電させ、お湯が沸騰したら、容器にお湯を注ぎ、求め量に成った時は自動的に電源を切り、また、水位電源スイッチ（８）はタンク内に無水時の燃焼に生じるの火災などを防止できる。
（ハ）本考案の加熱装置（３１）は湯入口（３２１）と貯水タンク（２）の連結所に金属パイプ（３２）内に逆流防止ための逆止弁（７）を設けられ、湯出口（３２２）とお湯漏斗盤（４）の連結所に逆L形のお湯パイプ（６）を設けられ、お湯パイプ（６）は熱膨張現象及びサイホン現象より、お冷やが加熱装置（３１）に通した時に、加熱よりの熱膨張で金属パイプ（３２）の両側に充填し、逆止弁（７）より、熱膨張のお湯は片方へしか流れず、お湯漏斗盤（４）内に流れ、お湯パイプ（６）より、お湯出水処はお冷や出水処より高くなり、お湯は十分な圧力ではないと上に上れないため、お湯は１００℃と確信できる。
（ホ）本考案は三つの加熱装置（３１）を使うより、加熱の時間は短くなり、お湯貯水タンクが無くでも、お湯は十分に提供できる。
【図面の簡単な説明】
【０００９】
【図１】本考案の一実施の形態における電気式ウォーターポットを示す斜視図
【図２】同電気式ウォーターポットを示す分解斜視図
【図３】同電気式ウォーターポットの特に加熱装置を示す分解斜視図
【図４】同電気式ウォーターポットの特に加熱装置の加熱動作を示す平面図
【図５】同電気式ウォーターポットの使用時の動作の流れを示すブロック図
【図６】同電気式ウォーターポットの使用例を示し、貯水タンクに水を入れる動作前の状態を示す断面図
【図７】同電気式ウォーターポットの使用例を示し、水を加熱して出湯中の状態を示す断面図
【図８】同電気式ウォーターポットの使用例を示し、水の加熱、出湯が停止された状態を示す断面図
【考案を実施するための形態】
【００１０】
次に、この考案を実施するための形態について図を用いて説明する。図１及び図２に示すように、電気式ウォータポットは、本体カバー１と、本体カバー１内の背面側に設けられ、水を貯めるための貯水タンク２と、本体カバー１の底部に設けられ、水を加熱するための電気式の加熱装置３１を有する加熱機箱３と、本体カバー１の正面側上部に設けられ、湯を出すための湯漏斗盤４と、本体カバー１の正面側下部に設けられ、容器を置くための容器置き台９と、貯水タンク２内に設置され、貯水タンク２内の水位により電源をＯＮ、ＯＦＦして加熱装置をＯＮ、ＯＦＦ制御する水位電源スイッチ８と、容器置き台９に設置され、容器置き台９に受ける重量により電源をＯＮ、ＯＦＦして加熱装置３をＯＮ、ＯＦＦ制御する重量スイッチ・システム９１とを備えて構成される。
【００１１】
図２及び図３に示すように、加熱装置３１は、耐高温性を有する中空の金属パイプ３２と、金属パイプ３２内に配置され、外周面に螺旋状に廻る導流板３５を有する高温電熱管３４とにより構成され、金属パイプ３２の一端が貯水タンク２に連結され、他端が湯漏斗盤４に連結される。この場合、金属パイプ３２の一端に湯入口３２１を有し、この湯入口３２１と貯水タンク２が逆流防止の逆止弁７を介して連結され、金属パイプ３２の他端に湯出口３２２を有し、この湯出口３２２と湯漏斗盤４が下から上に向けて逆Ｌ字形の湯パイプ６を介して連結される。この加熱装置３１は熱膨張の原理を利用したもので、この加熱装置３１に水が通され、加熱されると、熱膨張した湯が金属パイプ３２の両側に移動し、湯入口３２１と貯水タンク２との連結部は逆止弁７が設けられているので、熱膨張した湯は片側一方へのみ流れ、湯出口３２２と湯漏斗盤４とを連結する逆Ｌ型の湯パイプ６を通じて湯漏斗盤４内に流れる。この湯漏斗盤４内に流れる湯は既に沸騰した湯であり、湯パイプ６により、熱膨張の現象及びサイホンの現象より、湯の出るところが水の出るところより高くなり、湯は十分な圧力でないと上に上がれないため、湯は１００℃と確信できる。また、この場合、金属パイプ３の外側に断熱材からなる保温装置５が巻き付けられる。このようにして貯水タンク２の水が加熱機箱３に流され、この水が高温加熱管３４により、高速に加熱される。この加熱形式により、水の加熱は速く、この加熱が速いほど電気消費量が少なくなる。また、この高温加熱管３４の外側が保温装置５により包囲されるので、この保温装置５により電熱損失が降下し、この加熱装置３１の電熱損失は非常に少なく、加熱装置３１の再起動時は加熱時間が全体的に速くなり、極めてエコとなる。また、この場合、図1及び図４に示すように、３つの加熱装置３１が採用されているので、水の加熱時間は短くなり、湯用の貯水タンクが無くても、湯を十分に提供できる。
【００１２】
図１及び図２に示すように、容器置き台９は本体カバー１の正面側下部に上下動可能に設置される。そして、図７及び図８に示すように、重量スイッチ・システム９１は、加熱装置３１を通電し、水を加熱、出湯する第２電源スイッチ９１１と、加熱装置３１の通電を停止して、水の加熱、出湯を停止する第３電源スイッチ９１２と、容器置き台９の下部に設けられる固定横アーム９２と、本体カバー１の正面側下部に設けられ、容器置き台９と固定横アーム９２との間に水平方向に向けて延びる固定部と、この固定部と固定横アーム９２との間に介装され、容器置き台９を所定の位置に弾性的に支持する少なくとも一個の伸縮スプリング９３と、固定横アーム９２の上側に設けられる第１圧板９４及び固定横アーム９２の下側に設けられる第２圧板９５と、固定横アーム９２の第１、第２圧板９４、９５間に配設され、第２電源スイッチ９１１に係合可能に延びる制御アーム９６とを有し、容器置き台９に空の容器１０が置かれてその重量により容器置き台９が所定の位置まで下降することにより、第１圧板９４が制御アーム９６を介して第２電源スイッチ９１１に接触し、加熱装置３を通電し、水を加熱、出湯して、容器置き台９上の容器１０に所定量の湯を入れ、当該湯の重量により容器置き台９がさらに下降して所定の位置まで下降することにより、第２圧板９５が第３電源スイッチ９１２に接触し、加熱装置３の通電を停止して、水の加熱、出湯を停止する。この重量スイッチ・システム９１により、加熱装置３１はオートマチック化され、通常、加熱装置３１は非通電状態で、使用者が容器を容器置き台９に置くことにより、重量スイッチ・システム９１が動作を開始して、加熱装置３１が通電され、湯を沸騰させて容器１０に注ぎ、容器１０に使用者が求める量の湯が注がれると、自動的に電源が切られ、加熱装置３１は通常の非通電状態となる。
【００１３】
また、上記の重量スイッチ・システム９１は圧力センサー及びＩＣ判断の制御装置（無掲示）で構成し、エレクトロニック式重量スイッチ・システム９１であり、本考案の使用範囲に上昇させ、容器の重さに関係無く、全て適用。重量スイッチ・システム９１は圧力を感知する圧力センサー及び、この圧力センサーで感知された圧力に基づいて重量を判断するＩＣからなる制御装置（図示省略）で構成されてもよく、このようなエレクトロニック式の重量スイッチ・システム９１にすることにより、容器の重さに関係無く、加熱装置３１を同様に動作させることができる。
【００１４】
図１、図６及び図７に示すように、水位電源スイッチ８は、貯水タンク２内の所定の位置で貯水タンク２内の水位の変化とともに上下動可能な浮きボール装置８１と、浮きボール装置８１の動作により加熱装置３１の通電をＯＮ、ＯＦＦ制御する第１電源スイッチ８２とにより構成される。この場合、貯水タンク２内の一部が仕切り板８３によって隔てられ、かつ仕切り板８３の貯水タンク２の底部側に流水ホール８４が設けられて、仕切り板８３内に貯水タンク２の水が通されるようになっていて、浮きボール装置８１は、仕切り板８３内に配置される、所定の重さを持つ浮きボール８１１と、仕切り板８３の上方に設けられ、第１電源スイッチ８２に対して電源をＯＮする位置から電源をＯＦＦする位置へ傾動可能な横アーム８１２と、浮きボール８１１と横アーム８１２とを繋ぐ吊り紐８１３とにより構成される。この水位電源スイッチ８では、連通管の原理より、仕切り板８３内の水量（水位）は貯水タンク２と同様とし、浮きボール装置８１の制御により貯水タンク２内に水が有る場合にしか加熱装置３１は通電されず、電気消費量が減少し、また、貯水タンク２内が無水の時はこの浮きボール装置８１の働きにより高温電熱管３４の損壊が防止される。また、この水位電源スイッチ８のシンプルな構成により、整備がし易く、故障の確率は極めて低い。
【００１５】
また、水位電源スイッチ８は液面高度を視認可能なスイッチからなり、液面の視認の結果により、加熱装置３１の電源をＯＮ又はＯＦＦに制御するようにしてもよく、このようなエレクトロニック式の水位電源スイッチを採用することにより、コストの低減、精密向上、貯水タンク２の容量の増大などを図り、貯水タンク２内の無水時の燃焼による火災の発生を防止することができる。
【００１６】
図１及び図２に示すように、本体カバー１の上部に蓋が設けられる。この蓋は、本体カバー１の上部の正面側を封閉するためのフロント蓋１１と、フロント蓋１１の後部に形成され、本体カバー１の上部の背面側の貯水タンク２を封閉するためのリヤ蓋１２により構成され、フロント蓋１１底部のほぞ１１１（又は穴）と本体カバー１上部の穴（又はほぞ）との係合により固定される。このようなフロント蓋１１及びリヤ蓋１２の設置により、使用者にとっては、リヤ蓋１２を開けることで水、湯を注ぎ易くなり、リヤ蓋１２を閉じることで湯の蒸気の心配が無く、また安心してリヤ蓋１２を開けることができる。さらに、この蓋をフロント蓋１１のほぞ１１１と穴との結合により固定するので、とても使い易い。
【００１７】
このようにして電気式ウォータポットが構成され、貯水タンク２の内に水が収容された状態から、容器置き台９に容器を置くことにより、加熱装置３が通電されて、貯水タンク２の水を加熱装置３を通して加熱し、湯漏斗盤４より出湯し、容器置き台９上の容器に必要な所定の量の湯が入ると、加熱装置３の通電が停止されて、水の加熱、出湯を停止するようになっている。
【００１８】
図５にこの電気式ウォーターポットの使用時の動作の流れを示し、図６乃至図８にこの電気式ウォーターポットの使用例を示している。図５において、まず、図６に示すように、貯水タンク２に水を注ぐ（ステップＡ）。この水の注入により貯水タンク２内の水位は徐々に上昇し、この水位の上昇とともに、浮きボール８１１が吊り紐８１３とともに浮上する。図７に示すように、水位が所定の高さに達すると、浮きボール８１１が当該所定の高さまで浮上され、横アーム８１２は上に上がる。これにより、水位電源スイッチ８の第１電源スイッチ８２をオンにする（ステップＢ）。続いて、電源指示灯１３が光る。このとき、加熱装置３１は非通電状態が維持されている（ステップＣ）。次いで、図７に示すように、容器置き台９に容器１０を置くと（ステップＤ）、容器置き台９下部の横固定アーム９２が下に移動され、第１圧板９４が下降されて制御アーム９６を動かす。この第１圧板９４の下降により制御アーム９６が重量スイッチ・システム９１の第２電源スイッチ９１１に接触して第２電源スイッチ９１１をＯＮにし、加熱装置３１が通電される（ステップＥ）。高温電熱管３４の加熱が開始され（ステップＦ）、容器１０に求める量の湯が入ると（ステップＧ）、容器置き台９とともに横固定アーム９２がさらに下に移動して、第２圧板９５が下降する。この第２の圧板９５の下降によりこの圧板９５が重量スイッチ・システム９１の第３電源スイッチ９１２に接触して第３電源スイッチ９１２をＯＮにし、加熱装置３１の通電が停止される（ステップＨ）。そして、容器１０を取り出すと、伸縮スプリング９３の付勢力により容器置き台９が元の位置に戻り、同時に、第２電源スイッチ９１１と第３電源スイッチ９１２が元の状態に復帰して、ステップＣに戻される。このウォーターポットを使用しない間は加熱装置３は非通電状態のままで、保温効果より電気損失が無く、他の製品よりも安全で、エコに適するものである。
【００１９】
以上説明したように、この電気式ウォーターポットでは、加熱機箱３内の加熱装置３１が金属パイプ３２、高温加熱管３４、及び高温加熱管３４の外側に螺旋状に巻き付けられる導流板３５等で構成され、加熱機箱３に流される水を高温加熱管３４により、素早く加熱するので、電気消費量が少なくなり、しかも、保温装置５の保温効果と合わせて、電熱損失は極めて少ない。また、この電気式ウォーターポットでは、貯水タンク２内に水位電源スイッチ８が設置され、容器置き台９に重量スイッチ・システム９１が設置されて、加熱装置３１を通常、非通電状態にしており、使用者が容器を容器置き台９に置けば、重量スイッチ・システム９１の動作により、加熱装置３１が通電され、湯が沸騰すると、湯漏斗盤４を通じて容器に湯を注ぎ、湯が使用者の求める量になると、重量スイッチ・システム９１が自動的に電源を切り、加熱装置３の加熱、出湯を停止し、さらに貯水タンク２内が無水の時は水位電源スイッチ８により電源を切るので、貯水タンク２の燃焼による火災の発生を防止することができる。さらに、この電気式ウォーターポットでは、加熱装置３１の湯入口３２１と貯水タンク２が逆止弁７を介して連結され、湯出口３２２と湯漏斗盤４が逆Ｌ形の湯パイプ６を介して連結されているので、加熱装置３１に水が通され、加熱されると、熱膨張の現象及びサイホンの現象により、熱膨張した湯が金属パイプ３２の両側に移動するが、湯入口３２１と貯水タンク２との連結部に逆止弁７が設けられていることにより、熱膨張した湯は片側一方へのみ流れ、湯出口３２２と湯漏斗盤４とを連結する逆Ｌ型の湯パイプ６を通じて湯漏斗盤４内に流すことができる。そして、この湯漏斗盤４内に流れる湯は既に沸騰した湯であり、湯パイプ６により、湯の出るところが水の出るところより高くなり、湯は十分な圧力でないと上に上がれないため、湯は１００℃と確信することができる。そして、この電気式ウォーターポットでは、３つの加熱装置３１を使用することで、加熱の時間はさらに短くなり、特に湯を貯めるタンクが無くても、湯を十分に提供することができる。したがって、この電気式ウォーターポットによれば、加熱装置３１を通常、非通電状態として保温用の電気を省略し、そして、水を極めて短い時間で加熱するので、電気の消費量を大幅に減らすことができる。また、水位電源スイッチ８、重量スイッチ？システム９１の採用により、高い安全性を実現することができる。
【符号の説明】
【００２０】
１  本体カバー
１１  フロント蓋
１１１  ほぞ
１２  リア蓋
１３  電源指示灯
２  貯水タンク
３  加熱機箱
３１  加熱装置
３２  金属パイプ
３２１  湯入口
３２２  湯出口
３３  金属パイプ蓋
３３１  ねじ穴
３４  高温電熱管
３４１  ねじやま
３５  導流板
４  湯漏斗盤
４１  湯出口
４２  蒸気排気穴
５  保温装置
６  湯パイプ
７  逆止弁
８  水位電源スイッチ
８１  浮きボール装置
８１１  浮きボール
８１２  横アーム
８１３  吊り紐
８２  第１電源スイッチ
８３  仕切り板
８４  流水ホール
９  容器置き台
９１  重量スイッチ・システム
９１１  第２電源スイッチ
９１２  第３電源スイッチ
９２  横固定アーム
９３  伸縮スプリング
９４  第１圧板
９５  第２圧板
９６  制御アーム
１０  容器
Ａ  貯水タンク２に注水
Ｂ  水位電源スイッチ８の第１電源スイッチ８１をオンにし
Ｃ  電源指示灯１３は光り、加熱装置３１は断電のままに維持
Ｄ  容器置き台９に容器１０を置き
Ｅ  重量スイッチ・システム９１の第２電源スイッチ９１１をオンにし、加熱装置３１  に通電
Ｆ  高温電熱管３４は加熱始め
Ｇ  容器１０に水の求め量が足した
Ｈ  重量スイッチ・システム９１の第３電源スイッチ９１２をオンにし、加熱装置３１  に断電
【図１】
0003151834.tif 000003
【図２】
0003151834.tif 000004
【図３】
0003151834.tif 000005
【図４】
0003151834.tif 000006
【図５】
0003151834.tif 000007
【図６】
0003151834.tif 000008
【図７】
0003151834.tif 000009
【図８】
0003151834.tif 000010